(57)【要約】【課題】  複数種類のディスクの再生が可能なラジオ受信機において、従来と同程度の簡易な構成を維持して、動作クロック信号或いは動作クロック信号の作成過程で発生する信号の高調波によるノイズ音の発生及び受信感度の低下を防止する。【解決手段】  本発明に係るラジオ受信機は、外部から供給される動作クロック信号に基づいて信号処理動作を実行するＤＳＰ６と、ＤＳＰ６に動作クロック信号を供給するＤＩＲ７とを具え、ＤＩＲ７は、ディスクの再生時に、ＤＳＰ６に対する動作クロック信号を周波数の異なる複数種類の動作クロック信号の間でディスクの種類に応じて切り換える。そして、ＤＩＲ７は、ラジオ放送信号の受信時に、ＤＳＰ６に対する動作クロック信号を、前記複数種類の動作クロック信号の内、動作クロック信号或いは動作クロック信号の作成過程で発生する信号の高調波の周波数が受信周波数と近似しない動作クロック信号に切り換える。【選択図】      図１
2005141873.tif 000002
【特許請求の範囲】
【請求項１】
ラジオ放送信号を受信すると共に複数種類のディスクを再生することが可能であって、外部から供給される動作クロック信号に基づいて、ラジオ放送信号の受信時には受信されたラジオ放送信号に対する信号処理動作を実行する一方、ディスクの再生時には再生された信号に対する信号処理動作を実行する信号処理回路と、信号処理回路に動作クロック信号を供給する制御回路とを具え、該制御回路は、ディスクの再生時に、信号処理回路に対する動作クロック信号を周波数の異なる複数種類の動作クロック信号の間でディスクの種類に応じて切り換えるラジオ受信機において、該制御回路は、ラジオ放送信号の受信時に、信号処理回路に対する動作クロック信号を、前記複数種類の動作クロック信号の内、動作クロック信号或いは動作クロック信号の作成過程で発生する信号の高調波の周波数が受信周波数と近似しない動作クロック信号に切り換えることを特徴とするラジオ受信機。
【請求項２】
前記制御回路は、
受信周波数毎に信号処理回路に供給すべき動作クロック信号が規定されているテーブル手段と、
前記テーブル手段を参照して、信号処理回路に対する動作クロック信号を切り換える信号切換え手段
とを具えている請求項１に記載のラジオ受信機。
【請求項３】
前記制御回路の信号切換え手段は、
周波数の異なる複数種類の基本クロック信号の内、外部からの指令に応じた基本クロック信号を発生させる基本クロック信号発生手段と、
発生した基本クロック信号から動作クロック信号を作成して信号処理回路に出力するクロック信号作成手段と、
受信周波数の切換え時に、前記テーブル手段を参照して、前記複数種類の基本クロック信号の内、切換え先の受信周波数に応じた基本クロック信号を発生させるべき旨の指令を基本クロック信号発生手段に発する制御手段
とを具えている請求項２に記載のラジオ受信機。
【発明の詳細な説明】
【技術分野】
【０００１】
本発明は、外部から供給される動作クロック信号に基づいてラジオ放送信号に対する信号処理動作を実行する信号処理回路を具えたラジオ受信機に関するものである。
【背景技術】
【０００２】
従来のラジオ受信機は、チューナ回路、及びチューナ回路の動作を制御する制御回路を具えており、制御回路は外部から供給されるクロック信号に基づいて該制御動作を実行するが、クロック信号の周波数の２以上の整数倍の周波数が受信周波数と近似する場合に、ノイズ音が発生すると共に受信感度が低下する問題があった。以下、ある信号の周波数の２以上の整数倍の周波数を有する振動波を高調波という。
そこで、制御回路に対するクロック信号の高調波の周波数が受信周波数と近似する場合に、クロック信号の周波数をずらす受信装置が提案されている(特許文献１)。
該受信装置においては、クロック信号の標準周波数として４.５ＭＨｚの値が規定されており、例えば受信周波数が８９.８ＭＨｚであるときには、クロック信号の標準周波数の２０倍の周波数(４.５×２０ＭＨｚ＝９０ＭＨｚ)が受信周波数と近似することになるため、クロック信号の周波数が標準周波数４.５ＭＨｚから４.５１ＭＨｚにずらされる。
【０００３】
ところで、複数種類のディスクの再生が可能なラジオ受信機が知られている。この種のラジオ受信機は、ピックアップ回路、音声信号処理用ＤＳＰ(Digital Signal Processor)及び、Ａ／Ｄ変換処理動作を実行すると共にＤ／Ａ変換処理動作を実行するＡＤ／ＤＡ変換回路を具えており、ディスクの再生時には、ピックアップ回路によってディスクから読み出されたオーディオデータが前記音声信号処理用ＤＳＰに供給される。一方、ラジオ放送の受信時には、チューナ回路から得られるオーディオ信号が前記ＡＤ／ＤＡ変換回路に供給され、該回路では、外部から供給される動作クロック信号に基づいて該オーディオ信号にＡ／Ｄ変換処理を施す動作が実行され、これによって得られるデジタルのオーディオデータが前記音声信号処理用ＤＳＰに供給される。
音声信号処理用ＤＳＰでは、外部から供給される動作クロック信号に基づいて、入力されたオーディオデータに対する信号処理動作が実行され、これによって得られるオーディオデータが前記ＡＤ／ＤＡ変換回路に供給され、該回路では、外部から供給される動作クロック信号に基づいて該オーディオ信号にＤ／Ａ変換処理を施す動作が実行される。これによって得られるアナログのオーディオ信号がスピーカに供給される。
【特許文献１】特開平７−２０２７３７号公報
【発明の開示】
【発明が解決しようとする課題】
【０００４】
しかしながら、この種のラジオ受信機においても、ＡＭ放送の受信時には、音声信号処理用ＤＳＰ及びＡＤ／ＤＡ変換回路に供給される動作クロック信号の高調波の周波数が受信周波数と近似する場合にノイズ音が発生すると共に受信感度が低下し、ＦＭ放送の受信時には、基本クロック信号から動作クロック信号を作成する過程で発生する信号の高調波の周波数が受信周波数と近似する場合にノイズ音が発生すると共に受信感度が低下する問題があった。
そこで、上記従来の受信装置の様に動作クロック信号の周波数をずらすための回路を受信機本体に設けることが考えられるが、受信機全体の構成が複雑になる問題がある。
本発明の目的は、複数種類のディスクの再生が可能なラジオ受信機において、従来と同程度の簡易な構成を維持して、動作クロック信号或いは動作クロック信号の作成過程で発生する信号の高調波によるノイズ音の発生及び受信感度の低下を防止する。
【課題を解決するための手段】
【０００５】
ところで、複数種類のディスクの再生が可能なラジオ受信機においては、ＤＳＰは動作周波数を複数の周波数の間で切り換えて前記信号処理動作を実行することが可能であって、ディスクの再生時には、ＤＳＰに対する動作クロック信号が周波数の異なる複数種類の動作クロック信号の間でディスクの種類に応じて切り換えられる。
そこで、本発明者らは、ラジオ放送の受信時にこの動作クロック信号切換え機能を利用してＤＳＰ等の信号処理回路に対する動作クロック信号を切り換えることに想到し、本発明の完成に至った。
【０００６】
本発明に係るラジオ受信機は、ラジオ放送信号を受信すると共に複数種類のディスクを再生することが可能であって、外部から供給される動作クロック信号に基づいて、ラジオ放送信号の受信時には受信されたラジオ放送信号に対する信号処理動作を実行する一方、ディスクの再生時には再生された信号に対する信号処理動作を実行する信号処理回路と、信号処理回路に動作クロック信号を供給する制御回路とを具え、該制御回路は、ディスクの再生時に、信号処理回路に対する動作クロック信号を周波数の異なる複数種類の動作クロック信号の間でディスクの種類に応じて切り換える。そして特徴的構成において、該制御回路は、ラジオ放送信号の受信時に、信号処理回路に対する動作クロック信号を、前記複数種類の動作クロック信号の内、動作クロック信号或いは動作クロック信号の作成過程で発生する信号の高調波の周波数が受信周波数と近似しない動作クロック信号に切り換える。
【０００７】
本発明に係るラジオ受信機においては、ラジオ放送信号の受信時に、信号処理回路に対する動作クロック信号が、動作クロック信号或いは動作クロック信号の作成過程で発生する信号の高調波の周波数が受信周波数と近似しない動作クロック信号に切り換えられる。ここで、近似する範囲とは、ノイズ音が発生すると共に受信感度が低下する範囲をいい、該範囲には受信周波数と一致する周波数が含まれる。切換え後の動作クロック信号は、ディスクの再生時に切換え可能な複数種類の動作クロック信号の何れかの動作クロック信号であるので、信号処理回路は正常に信号処理動作を実行することが出来る。
この様にして、受信周波数に応じて信号処理回路に対する動作クロック信号を切り換えることによって、動作クロック信号或いは動作クロック信号の作成過程で発生する信号の高調波によるノイズ音の発生及び受信感度の低下を防止することが出来る。
又、従来のディスク再生が可能なラジオ受信機が有していた動作クロック信号切換え機能を利用するので、動作クロック信号を切り換えるための新たな回路は不要であり、受信機全体の構成が複雑となることはない。
【０００８】
具体的には、前記制御回路は、
受信周波数毎に信号処理回路に供給すべき動作クロック信号が規定されているテーブル手段と、
前記テーブル手段を参照して、信号処理回路に対する動作クロック信号を切り換える信号切換え手段
とを具えている。
【０００９】
上記具体的構成においては、信号切換え手段は、受信周波数毎に信号処理回路に供給すべき動作クロック信号が規定されているテーブル手段を参照することによって、動作クロック信号を短時間で切り換えることが出来る。
【００１０】
又、具体的には、前記制御回路の信号切換え手段は、
周波数の異なる複数種類の基本クロック信号の内、外部からの指令に応じた基本クロック信号を発生させる基本クロック信号発生手段と、
発生した基本クロック信号から動作クロック信号を作成して信号処理回路に出力するクロック信号作成手段と、
受信周波数の切換え時に、前記テーブル手段を参照して、前記複数種類の基本クロック信号の内、切換え先の受信周波数に応じた基本クロック信号を発生させるべき旨の指令を基本クロック信号発生手段に発する制御手段
とを具えている。
【００１１】
上記具体的構成においては、制御手段は、受信周波数の切換え時に、前記テーブル手段を参照して、切換え先の受信周波数に応じた基本クロック信号を発生させるべき旨の指令を基本クロック信号発生手段に発し、基本クロック信号発生手段は、該指令を受けて、複数種類の基本クロック信号の内、指令に応じた基本クロック信号を発生させる。クロック信号作成手段は、該基本クロック信号から動作クロック信号を作成して信号処理回路に出力する。この様にして、受信周波数の切換え時に、信号処理回路に対する動作クロック信号が、動作クロック信号或いは動作クロック信号の作成過程で発生する信号の高調波の周波数が切換え先の受信周波数と近似しない動作クロック信号に切り換えられることになる。
【発明の効果】
【００１２】
本発明に係るラジオ受信機によれば、従来と同程度の簡易な構成を維持して、動作クロック信号或いは動作クロック信号の作成過程で発生する信号の高調波によるノイズ音の発生及び受信感度の低下を防止することが出来る。
【発明を実施するための最良の形態】
【００１３】
以下、本発明の実施の形態につき、図面に沿って具体的に説明する。
本発明に係るラジオ受信機は、ＤＶＤを含む複数種類のディスクを互換性をもって再生することが可能であって、図１に示す如く、ラジオ放送波を受信するアンテナ(１)、チューナ回路(２)、光ディスク(20)からデータを読み出す光ピックアップ回路(３)、読み出されたデータにデコード処理などの所定の信号処理を施すＡＶデコーダ(４)、外部から供給される動作クロック信号に基づいてＡ／Ｄ変換処理動作及びＤ／Ａ変換処理動作を実行するＡＤ／ＤＡコンバータ(５)、外部から供給される動作クロック信号に基づいてオーディオデータに対する信号処理動作を実行するオーディオＤＳＰ(６)、ＡＤ／ＤＡコンバータ(５)及びオーディオＤＳＰ(６)に対する動作クロック信号を作成して出力するＤＩＲ(Digital audio Interface Receiver)(７)、アンプ回路(８)及びスピーカ(９)を具えている。
前記ＤＩＲ(７)には、周波数１２.２８８ＭＨｚの基本クロック信号を発生させる水晶発振子(10)が接続され、前記ＡＶデコーダ(４)には、複数の操作キーからなるキー入力装置(11)が接続されている。
又、上述のＡＤ／ＤＡコンバータ(５)及びオーディオＤＳＰ(６)は、動作周波数を３２ＫＨｚ、４４.１ＫＨｚ及び４８ＫＨｚの間で切り換えて前記動作を実行することが可能であって、前記ＡＶデコーダ(４)には、周波数の異なる３種類の基本クロック信号を発生させることが可能なクロックジェネレータ(12)が接続されている。ＡＶデコーダ(４)には、マイクロコンピュータが内蔵されており、上述のチューナ回路(２)、光ピックアップ回路(３)、ＡＤ／ＤＡコンバータ(５)、オーディオＤＳＰ(６)、ＤＩＲ(７)及びクロックジェネレータ(12)は、該マイクロコンピュータによって動作が制御されている。
【００１４】
先ず、ディスク再生時の動作について説明し、その後、ラジオ放送受信時の動作について説明する。
キー入力装置(11)に対してディスク再生操作が行なわれると、ＡＶデコーダ(４)はこれを検知して、データの読出しを光ピックアップ回路(３)に指令すると共に、装填されている光ディスクの種類及び光ディスクに記録されているオーディオデータの種類を判別した後、前記３種類の基本クロック信号の内、該判別結果に応じた基本クロック信号を発生させるべき旨をクロックジェネレータ(12)に指令する。光ピックアップ回路(３)は、前記読出し指令を受けて、光ディスク(20)からオーディオデータを読み出してＡＶデコーダ(４)に供給する動作を開始する一方、クロックジェネレータ(12)は、前記信号発生指令を受けて、基本クロック信号を発生させてＡＶデコーダ(４)に供給する動作を開始する。
ＡＶデコーダ(４)は、入力されたオーディオデータに所定の信号処理を施すと共に、入力された基本クロック信号に基づいて新たなクロック信号を作成する。そして、信号処理を施したオーディオデータに該クロック信号及びその他の必要な情報を重畳してＳＰＤＩＦ(Sony/Philips Digital Interface)信号を作成し、該ＳＰＤＩＦ信号をＤＩＲ(７)に供給する。
【００１５】
ＤＩＲ(７)は、入力されたＳＰＤＩＦ信号に基づいて、３２ＫＨｚ、４４.１ＫＨｚ或いは４８ＫＨｚの何れかの周波数の動作クロック信号を作成する。この様にして、装填されている光ディスクの種類及び光ディスクに記録されているオーディオデータの種類に応じた周波数の動作クロック信号が作成され、ＤＩＲ(７)は、該動作クロック信号をＡＤ／ＤＡコンバータ(５)及びオーディオＤＳＰ(６)に供給すると共に、入力されたオーディオデータをオーディオＤＳＰ(６)に供給する。
オーディオＤＳＰ(６)では、動作クロック信号に基づいて、入力されたオーディオデータに所定の信号処理を施す動作が実行され、これによって得られたオーディオデータがＡＤ／ＤＡコンバータ(５)に供給される。ＡＤ／ＤＡコンバータ(５)では、動作クロック信号に基づいて該オーディオデータにＤ／Ａ変換処理を施す動作が実行され、これによって得られたアナログのオーディオ信号は、アンプ回路(８)に供給されて増幅された後、スピーカ(９)に供給される。この結果、光ディスク(20)から再生された音声がスピーカ(９)から外部へ出力されることになる。
【００１６】
上述の如く、ディスクの再生時には、ＡＤ／ＤＡコンバータ(５)及びオーディオＤＳＰ(６)に対する動作クロック信号がディスクの種類及びディスクに記録されているオーディオデータの種類に応じて３２ＫＨｚ、４４.１ＫＨｚ或いは４８ＫＨｚの何れかの周波数の動作クロック信号に切り換えられる。
尚、外部から入力されたアナログのオーディオ信号の再生時には、水晶発振子(10)からＤＩＲ(７)に基本クロック信号が供給され、ＤＩＲ(７)では、該基本クロック信号に基づいて周波数４８ｋＨｚの動作クロック信号が作成されて、ＡＤ／ＤＡコンバータ(５)及びオーディオＤＳＰ(６)に供給される。
【００１７】
本発明に係るラジオ受信機は、上述の動作クロック信号切換え機能を利用して、ＡＭ放送の受信時に動作クロック信号を受信周波数に応じて切り換えるものであって、ＡＶデコーダ(４)の内蔵レジスタ(図示省略)には、受信周波数毎にＡＤ／ＤＡコンバータ(５)及びオーディオＤＳＰ(６)に供給すべき動作クロック信号が規定された図２に示す動作クロック信号切換えテーブルが格納されている。動作クロック信号の周波数は、３２ＫＨｚ、４４.１ＫＨｚ或いは４８ＫＨｚの何れかの値をとる。
【００１８】
図３は、本発明のラジオ受信機の製造工程において上記動作クロック信号切換えテーブルの作成に先立って作成されるテーブルを表わしている。該テーブルには、図示の如く、放送周波数毎に３種類の動作クロック信号３２ＫＨｚ、４４.１ＫＨｚ、４８ＫＨｚについての書込み欄が設けられており、動作クロック信号の高調波の周波数が放送周波数と近似する場合には、該動作クロック信号についての書込み欄に×印が書き込まれる一方、ＡＤ／ＤＡコンバータ(５)及びオーディオＤＳＰ(６)に供給すべき動作クロック信号についての書込み欄には○印が書き込まれる。ここで、近似する範囲とは、ノイズ音が発生すると共に受信感度が低下する範囲をいい、該範囲には放送周波数と一致する周波数が含まれる。例えば、放送周波数９９０ＫＨｚについては、動作クロック信号の周波数が３２ＫＨｚであるときに該周波数の３１倍の周波数(３２×３１ＫＨｚ＝９９２ＫＨｚ)が該放送周波数と近似することになるため、３２ＫＨｚの動作クロック信号についての書込み欄に×印が書き込まれ、ＡＤ／ＤＡコンバータ(５)及びオーディオＤＳＰ(６)に供給すべき４８ＫＨｚの動作クロック信号についての書込み欄に○印が書き込まれる。
この様にして作成されたテーブルに基づき、図２に示す動作クロック信号切換えテーブルが作成されて、図１に示すＡＶデコーダ(４)の内蔵レジスタに格納される。
【００１９】
本発明に係るラジオ受信機においては、図１に示すキー入力装置(11)に対してＡＭ放送の受信周波数切換え操作、或いはＡＭ放送への切換え操作が行なわれると、ＡＶデコーダ(４)は、切換え先の受信周波数に応じたチューニング制御信号をチューナ回路(２)に供給すると共に、図２に示す動作クロック信号切換えテーブルを参照して、上述の３種類の基本クロック信号の内、切換え先の受信周波数に応じた基本クロック信号を発生させるべき旨をクロックジェネレータ(12)に指令する。
チューナ回路(２)は、入力されたチューニング制御信号に基づきチューニング動作を行なって、アンテナ(１)にて受信されたラジオ放送波から１つの周波数の放送波を選択する。チューナ回路(２)から得られるオーディオ信号はＡＤ／ＤＡコンバータ(５)に供給される。
【００２０】
一方、クロックジェネレータ(12)は、前記信号発生指令を受けて、基本クロック信号を発生させてＡＶデコーダ(４)に供給する動作を開始する。ＡＶデコーダ(４)は、入力された基本クロック信号に基づいて新たなクロック信号を作成し、該クロック信号及びその他の必要な情報からＳＰＤＩＦ信号を作成してＤＩＲ(７)に供給する。
ＤＩＲ(７)は、入力されたＳＰＤＩＦ信号に基づいて、３２ｋＨｚ、４４.１ｋＨｚ或いは４８ｋＨｚの何れかの周波数の動作クロック信号を作成する。この様にして、高調波の周波数が切換え先の受信周波数と近似しない動作クロック信号が作成され、ＤＩＲ(７)は、該動作クロック信号をＡＤ／ＤＡコンバータ(５)及びオーディオＤＳＰ(６)に供給する。
【００２１】
ＡＤ／ＤＡコンバータ(５)では、動作クロック信号に基づいて上述の如くチューナ回路(２)から入力されたオーディオ信号にＡ／Ｄ変換処理を施す動作が実行され、これによって得られたデジタルのオーディオデータはオーディオＤＳＰ(６)に供給される。オーディオＤＳＰ(６)では、動作クロック信号に基づいて該オーディオデータに所定の信号処理を施す動作が実行され、これによって得られたオーディオデータが前記ＡＤ／ＤＡコンバータ(５)に供給される。ＡＤ／ＤＡコンバータ(５)では、前記動作クロック信号に基づいてオーディオＤＳＰ(６)から入力されたオーディオデータにＤ／Ａ変換処理を施す動作が実行され、これによって得られたアナログのオーディオ信号は、アンプ回路(８)に供給されて増幅された後、スピーカ(９)に供給される。この結果、ラジオ放送の音声がスピーカ(９)から外部へ出力されることになる。
【００２２】
本発明に係るラジオ受信機においては、上述の如く、ＡＭ放送の受信時に、ＡＤ／ＤＡコンバータ(５)及びオーディオＤＳＰ(６)に対する動作クロック信号が受信周波数に応じて３２ＫＨｚ、４４.１ＫＨｚ或いは４８ＫＨｚの何れかの周波数の動作クロック信号に切り換えられる。例えば、受信周波数が９９０ＫＨｚである場合には４８ＫＨｚの動作クロック信号がＡＤ／ＤＡコンバータ(５)及びオーディオＤＳＰ(６)に供給され、受信周波数が１００８ＫＨｚである場合には４４.１ＫＨｚの動作クロック信号がＡＤ／ＤＡコンバータ(５)及びオーディオＤＳＰ(６)に供給される。
【００２３】
図４は、ラジオ放送の受信時に上記ＡＶデコーダ(４)によって実行される手続きを表わしており、先ずステップＳ１では、ユーザにより受信周波数切換え操作或いはＡＭ放送への切換え操作が行なわれたか否かを判断し、ノーと判断された場合には同じ判断を繰り返す。
一方、これらの操作の内、何れかの操作が行なわれてステップＳ１にてイエスと判断された場合には、ステップＳ２に移行して、切換え先の受信周波数に応じたチューニング制御信号をチューナ回路(２)に供給すると共に、図２に示す動作クロック信号切換えテーブルを参照して、切換え先の受信周波数に応じた基本クロック信号を発生させるべき旨の指令をクロックジェネレータ(12)に出力する。この結果、受信周波数が切り替わると共に、ＡＤ／ＤＡコンバータ(５)及びオーディオＤＳＰ(６)に対する動作クロック信号が切換え先の受信周波数に応じた動作クロック信号に切り替わることになる。
【００２４】
本発明に係るラジオ受信機においては、上述の如く、ラジオ放送の受信時に、ＡＤ／ＤＡコンバータ(５)及びオーディオＤＳＰ(６)に対する動作クロック信号を高調波の周波数が受信周波数と近似しない動作クロック信号に切り換えることによって、動作クロック信号の高調波によるノイズ音の発生及び受信感度の低下を防止することが出来る。
又、従来のディスク再生が可能なラジオ受信機が有していた動作クロック信号切換え機能を利用するので、動作クロック信号を切り換えるための新たな回路は不要であり、受信機全体の構成は従来と同程度の簡易なものとなる。
【００２５】
尚、本発明の各部構成は上記実施の形態に限らず、特許請求の範囲に記載の技術的範囲内で種々の変形が可能である。
例えば、ＦＭ放送の受信時に、ＡＤ／ＤＡコンバータ(５)及びオーディオＤＳＰ(６)に対する動作クロック信号を、基本クロック信号から動作クロック信号を作成する過程で発生する信号の高調波の周波数が受信周波数と近似しない動作クロック信号に切り換えることも可能である。
又、上記実施の形態では、ＡＤ／ＤＡコンバータ(５)及びオーディオＤＳＰ(６)に対する動作クロック信号を３種類の動作クロック信号の間で切り換えているが、３種類の動作クロック信号に限らず、２種類或いは４種類以上の任意の複数種類の動作クロック信号の間で切り換えることが可能である。
【図面の簡単な説明】
【００２６】
【図１】本発明に係るラジオ受信機の構成を表わすブロック図である。
【図２】上記ラジオ受信機のＡＶデコーダの内蔵レジスタに格納されている動作クロック信号切換えテーブルを表わす図である。
【図３】上記ラジオ受信機の製造工程において上記動作クロック信号切換えテーブルの作成に先立って作成されるテーブルを表わす図である。
【図４】ラジオ放送の受信時に実行される手続きを表わすフローチャートである。
【符号の説明】
【００２７】
(１)  アンテナ
(２)  チューナ回路
(３)  光ピックアップ回路
(４)  ＡＶデコーダ
(５)  ＡＤ／ＤＡコンバータ
(６)  オーディオＤＳＰ
(７)  ＤＩＲ
(８)  アンプ回路
(９)  スピーカ
(12)  クロックジェネレータ
【図１】
2005141873.tif 000003
【図２】
2005141873.tif 000004
【図３】
2005141873.tif 000005
【図４】
2005141873.tif 000006